(57)【要約】【課題】電波（放射ビーム）を受信アンテナがベストな位置（場所）で受信すること。【解決手段】電波吸収体（３０）上にサーモクロミック材料（４０）を塗布する。次に、サーモクロミック材料（４０）が塗布された電波吸収体（３０）を、電波が受信アンテナ（２６）により受信されるときの電界強度を確認したい場所に配置する。次に、送信アンテナ（１６）から電波を照射する。このとき、電波吸収体（３０）は、電波を吸収するときに電界強度に応じて発熱する。サーモクロミック材料（４０）は、電波吸収体（３０）が発熱したときの温度に応じて変色する。これにより、サーモクロミック材料（４０）の変色部分（４２）を、受信アンテナ（２６）が電波を受信する範囲である照射範囲として可視化する。【選択図】図４
2016213656.tif 000002
【特許請求の範囲】
【請求項１】
電波を送信アンテナから照射する送信装置と、
前記電波が受信アンテナにより受信されるときの電界強度を確認したい場所に配置され、前記送信アンテナから照射された前記電波を吸収するときに前記電界強度に応じて発熱する電波吸収体と、
前記電波吸収体上に塗布され、前記電波吸収体が発熱したときの温度に応じて変色するサーモクロミック材料と、
を具備することを特徴とする電波照射範囲可視化装置。
【請求項２】
前記電波吸収体上の変色した前記サーモクロミック材料を撮影するカメラと、
前記カメラにより撮影された画像のうちの、前記電波吸収体上の前記サーモクロミック材料の変色部分を解析する画像解析部と、
を更に具備することを特徴とする請求項１に記載の電波照射範囲可視化装置。
【請求項３】
色彩を指定可能な可視光を照射する光源と、
前記画像の前記変色部分に基づいて、前記電波吸収体上の前記サーモクロミック材料の前記変色部分に重ねて前記可視光が照射されるように前記光源を制御する光源制御部と、
を更に具備することを特徴とする請求項２に記載の電波照射範囲可視化装置。
【請求項４】
前記サーモクロミック材料は、格子状、または、ドット状に塗布されることを特徴とする請求項１から３のいずれか一項に記載の電波照射範囲可視化装置。
【請求項５】
電波を吸収するときに電界強度に応じて発熱する電波吸収体上に、前記電波吸収体が発熱したときの温度に応じて変色するサーモクロミック材料を塗布する塗布工程と、
前記サーモクロミック材料が塗布された前記電波吸収体を、前記電波が受信アンテナにより受信されるときの前記電界強度を確認したい場所に配置する配置工程と、
送信アンテナから前記電波を照射する照射工程と、
を具備することを特徴とする電波照射範囲可視化方法。
【発明の詳細な説明】
【技術分野】
【０００１】
本発明は、送信装置からのコンテンツ等を範囲限定で受信装置がダウンロード可能とするサービスを提供する際に、その範囲を確認するための電波照射範囲可視化装置、及び、電波照射範囲可視化方法に関する。
【背景技術】
【０００２】
ミリ波帯の電波を受信アンテナが受信する場所を確認することができる技術が知られている（例えば、特許文献１）。
【０００３】
特許文献１に記載されたミリ波通信システムは、ミリ波送信装置とミリ波受信装置とを具備している。ミリ波送信装置は、ミリ波帯の電波を照射する送信アンテナと、レーザービームを照射する発光手段とを備えている。ミリ波受信装置は、送信アンテナから照射されたミリ波帯の電波を受信する受信アンテナと、発光手段から照射されたレーザービームを受光する受光手段と、受光手段がレーザービームを受光したときに報知する報知手段とを備えている。
【先行技術文献】
【特許文献】
【０００４】
【特許文献１】特開２００５−２４４３６２号公報
【発明の概要】
【発明が解決しようとする課題】
【０００５】
しかしながら、特許文献１に記載された技術において、ミリ波送信装置の送信アンテナと発光手段との間にはオフセット（距離）があり、ミリ波受信装置の受信アンテナと受光手段との間にはオフセット（距離）がある。即ち、図９に示されるように、ミリ波送信装置において、送信アンテナと発光手段とは、機構的に、同軸上に設置することができない。
【０００６】
更に、特許文献１に記載された技術において、ミリ波帯の電波は、放射状のビームである。したがって、図９に示されるように、ミリ波受信装置において、受信アンテナによりミリ波帯の電波（放射ビーム）が受信されたときの放射ビームの断面の中心と、受光手段によりレーザービームが受光されたときのレーザービームの断面の中心との間にもオフセット（距離）が生じる。
【０００７】
また、図１０に示されるように、ミリ波帯の電波において、放射状のビームが非対称である場合、ミリ波送信装置の送信アンテナからミリ波帯の電波（放射ビーム）が照射されたときの放射ビームの断面の中心と、ミリ波受信装置の受信アンテナによりミリ波帯の電波（放射ビーム）が受信されたときの放射ビームの断面の中心とが一致するとは限らない。
【０００８】
このように、上述のオフセットがなく、ミリ波帯の電波（放射ビーム）を受信アンテナがベストな位置（場所）で受信できることが望まれる。受信アンテナがミリ波帯の電波（放射ビーム）をベストな位置で受信できる場合は、ミリ波帯の電波が表す信号をフーリエ変換したときのメインローブのピーク値を得ることができる。
【０００９】
本発明は、上記従来の問題点に鑑みてなされたものであって、電波（放射ビーム）を受信アンテナがベストな位置（場所）で受信することができる電波照射範囲可視化装置、及び、電波照射範囲可視化方法を提供することを目的とする。
【課題を解決するための手段】
【００１０】
本発明の電波照射範囲可視化装置は、電波を送信アンテナから照射する送信装置と、前記電波が受信アンテナにより受信されるときの電界強度を確認したい場所に配置され、前記送信アンテナから照射された前記電波を吸収するときに前記電界強度に応じて発熱する電波吸収体と、前記電波吸収体上に塗布され、前記電波吸収体が発熱したときの温度に応じて変色するサーモクロミック材料と、を具備することを特徴とする。
【００１１】
本発明の電波照射範囲可視化方法は、電波を吸収するときに電界強度に応じて発熱する電波吸収体上に、前記電波吸収体が発熱したときの温度に応じて変色するサーモクロミック材料を塗布する塗布工程と、前記サーモクロミック材料が塗布された前記電波吸収体を、前記電波が受信アンテナにより受信されるときの前記電界強度を確認したい場所に配置する配置工程と、送信アンテナから前記電波を照射する照射工程と、を具備することを特徴とする。
【００１２】
本発明のコンピュータプログラムは、上記電波照射範囲可視化方法の照射工程をコンピュータに実行させることを特徴とする。
【発明の効果】
【００１３】
本発明によれば、電波（放射ビーム）を受信アンテナがベストな位置（場所）で受信することができる。
【図面の簡単な説明】
【００１４】
【図１】本発明の第１実施形態に係るミリ波照射範囲可視化装置を説明するための図である。
【図２】本発明の第１実施形態に係るミリ波照射範囲可視化装置の電波吸収体３０、及び、サーモクロミック材料４０の側面と上面とを示す図である。
【図３】本発明の第１実施形態に係るミリ波照射範囲可視化装置の動作（ミリ波照射範囲可視化方法）を示すフローチャートである。
【図４】本発明の第１実施形態に係るミリ波照射範囲可視化装置の構成、及び、動作（ミリ波照射範囲可視化方法）を説明するための側面と上面とを示す図である。
【図５】本発明の第２実施形態に係るミリ波照射範囲可視化装置の構成、及び、動作（ミリ波照射範囲可視化方法）を説明するための側面と上面とを示す図である。
【図６】本発明の第３実施形態に係るミリ波照射範囲可視化装置の構成、及び、動作（ミリ波照射範囲可視化方法）を説明するための側面と上面とを示す図である。
【図７】本発明の第４実施形態に係るミリ波照射範囲可視化装置の電波吸収体３０、及び、サーモクロミック材料４０の側面と上面とを示す図である。
【図８】本発明の第４実施形態に係るミリ波照射範囲可視化装置の動作（ミリ波照射範囲可視化方法）を説明するための上面を示す図である。
【図９】従来技術の課題を説明するための図である。
【図１０】従来技術の課題を説明するための図である。
【発明を実施するための形態】
【００１５】
以下、図面を参照しながら本発明の電波照射範囲可視化装置として、ミリ波照射範囲可視化装置の実施形態について説明する。
【００１６】
［第１実施形態］
図１は、本発明の第１実施形態に係るミリ波照射範囲可視化装置を説明するための図である。そのミリ波照射範囲可視化装置は、ミリ波送信装置１０と、通信機器であるミリ波受信装置２０とを具備している。
【００１７】
図１に示されるように、ミリ波送信装置１０は、記憶部１２と、制御部１４と、送信アンテナ１６とを備えている。記憶部１２には、コンピュータが実行可能なコンピュータプログラム（図示しない）が格納されている。制御部１４は、ＣＰＵ（Central Processing Unit）であり、記憶部１２からコンピュータプログラムを読み出して実行する。
【００１８】
図１に示されるように、ミリ波受信装置２０は、記憶部２２と、制御部２４と、受信アンテナ２６とを備えている。記憶部２２には、コンピュータが実行可能なコンピュータプログラム（図示しない）が格納されている。制御部２４は、ＣＰＵであり、記憶部２２からコンピュータプログラムを読み出して実行する。
【００１９】
ミリ波送信装置１０とミリ波受信装置２０は、ミリ波(６０ＧＨｚ)帯の電波を用いて通信を行なう。即ち、ミリ波送信装置１０の制御部１４は、送信アンテナ１６からミリ波帯の電波を照射し、ミリ波受信装置２０の受信アンテナ２６は、送信アンテナ１６から照射された電波を受信する。ミリ波受信装置２０の制御部２４は、受信アンテナ２６により受信された電波により、照射範囲限定でダウンロード可能とするコンテンツを取得する。
【００２０】
ミリ波(６０ＧＨｚ)帯は、波長が短いため、６０ＧＨｚ帯の無線通信規格であるＷｉＧｉｇ（Wireless Gigabit）や、第５世代携帯電話技術（５Ｇ技術）で注目されている。しかしながら、通信機器（ミリ波受信装置２０）がミリ波帯の電波（放射ビーム）の照射範囲外に位置する場合、ミリ波送信装置１０とミリ波受信装置２０との間で期待する通信を行なうことができない。したがって、ミリ波受信装置２０が照射範囲内に位置することが重要となる。即ち、ミリ波受信装置２０に対して、フレネルゾーンを確保する必要がある。
【００２１】
ここで、フレネルゾーンについて説明する。
【００２２】
無線通信において、ミリ波送信装置１０から照射された電波がミリ波受信装置２０に電力損失なく到達するためには、ある一定の空間が必要である。この空間は、ミリ波送信装置１０の送信アンテナ１６とミリ波受信装置２０の受信アンテナ２６との間の最短距離を中心とした回転楕円体で表され、フレネルゾーンと呼ばれている。実際には、この空間は無限に広がっていくが、この空間のうちの、電波がミリ波受信装置２０の受信アンテナ２６により受信されるときの電界強度（受信電界強度）が最も高い部分は、第１フレネルゾーンと呼ばれる。
【００２３】
フレネルゾーン内に障害物がある場合、電波が充分に伝達されないことになり、受信電界強度が確保されないことになる。受信電界強度が低い場合、伝搬損失が発生する確率が次第に高くなる。その結果、電波がミリ波受信装置２０の受信アンテナ２６により受信されるときの受信電力は、自由空間での電波伝搬理論値から外れてしまい、ミリ波送信装置１０とミリ波受信装置２０との間で期待する通信を行なうことができない。そのため、ミリ波受信装置２０に対して、第１フレネルゾーンを確保することが望まれる。
【００２４】
ここで、第１フレネルゾーンについて説明する。以下、第１フレネルゾーンを第１フレネルゾーンＦＺ１と称する。
【００２５】
図１に示されるように、第１フレネルゾーンＦＺ１とは、電波がミリ波送信装置１０の送信アンテナ１６からミリ波受信装置２０の受信アンテナ２６までに、最短経路Ｄ１で到達する場合と、フレネル半径ｒ１により迂回経路Ｄ２で到達する場合との経路差がλ／２以内である経路の軌跡内に作られる回転楕円体空間である。ここで、λとは、電波の波長（波長＝光速／周波数）のことであり、４００ＭＨｚの場合はで０．７５ｍである。
【００２６】
第１フレネルゾーンＦＺ１において、ミリ波送信装置１０の送信アンテナ１６からフレネル半径ｒ１までの距離をｄ１とし、フレネル半径ｒ１からミリ波受信装置２０の受信アンテナ２６までの距離をｄ２とし、経路差をｄ３とした場合、最短経路Ｄ１、迂回経路Ｄ２、経路差ｄ３、フレネル半径ｒ１は、次のように表される。
Ｄ１＝ｄ１＋ｄ２
Ｄ２＝｛（（ｄ１＾２）＋（ｒ１＾２））＾（１／２）｝＋｛（（ｄ２＾２）＋（ｒ１＾２））＾（１／２）｝
ｄ３＝Ｄ２−Ｄ１
ｒ１＝｛λ×（（ｄ１×ｄ２）／（ｄ１＋ｄ２））｝＾（１／２）
【００２７】
ミリ波受信装置２０に対して、第１フレネルゾーンＦＺ１を確保することができる場合、受信電力は自由空間での電波伝搬理論値に近いものになる。
【００２８】
その第１フレネルゾーンＦＺ１を確保するために、図２に示されるように、本発明の第１実施形態に係るミリ波照射範囲可視化装置は、更に、電波吸収体３０と、サーモクロミック材料４０とを具備している。
【００２９】
図２は、本発明の第１実施形態に係るミリ波照射範囲可視化装置の電波吸収体３０、及び、サーモクロミック材料４０の側面と上面とを示す図である。
【００３０】
電波吸収体３０は、ミリ波送信装置１０の送信アンテナ１６から照射された電波を吸収する。この電波吸収体３０は、電波を吸収するときに、電界強度に応じて発熱する。
【００３１】
電波吸収体３０の材料としては、フェライトの磁気共鳴損失を利用したもの、カーボンのオーム損失を利用したもの、フェライトの磁気損失とカーボンのオーム損失とを組み合わせた複合型のもの、などがあげられる。例えば、本実施形態では、電波吸収体３０の材料として、カーボン材料が使用されている。また、目的とする周波数に対する、吸収性を向上させるため、電波入射方向に対して、細かいピラミッドの様なくさび形状を並べて構成してもよい。その場合、荷重の影響による形状変化が起こらない剛性の高い材質にカーボンを混ぜる、剛性の高い材料でカーボン素材を挟み込む、又は、荷重による形状変化が生じても、可逆的に形状が元に戻る様な柔軟性がある材料(例えば、ウレタン等)にカーボンを混ぜる、コーテイングを施す等の工夫が必要になる。
【００３２】
サーモクロミック材料４０は、加熱または冷却により、自身の色が変化する性質を示す材料である。サーモクロミック材料４０は、図２に示されるように電波吸収体３０上に塗布され、電波吸収体３０が発熱したときの温度に応じて変色する。
【００３３】
図２に示されるように、サーモクロミック材料４０は、電波吸収体３０上で座標を表すように、格子状に塗布される。ここで、塗布は、一様であってもよいが、格子状にする事で、サーモクロミック材料４０の節約が可能になる。
【００３４】
サーモクロミック材料４０としては、二酸化バナジウム（ＶＯ２）、二酸化バナジウムにタングステンやモリブデン等の金属を添加した材料（Ｖ１−ｘＭｘＯ２）、などがあげられる。例えば、本実施形態では、サーモクロミック材料４０として、二酸化バナジウムにタングステンやモリブデン等の金属を添加した材料が使用されている。ここで、サーモクロミック材料４０は、日々研究がなされており、この例に限らない。
【００３５】
次に、本発明の第１実施形態に係るミリ波照射範囲可視化装置の動作（ミリ波照射範囲可視化方法）について説明する。
【００３６】
図３は、本発明の第１実施形態に係るミリ波照射範囲可視化装置の動作（ミリ波照射範囲可視化方法）を示すフローチャートである。図４は、本発明の第１実施形態に係るミリ波照射範囲可視化装置の構成、及び、動作（ミリ波照射範囲可視化方法）を説明するための側面と上面とを示す図である。
【００３７】
まず、塗布工程が操作者により行なわれる（図３のステップＳ１）。塗布工程において、電波吸収体３０上にサーモクロミック材料４０が塗布される（図２参照）。サーモクロミック材料４０は格子状に塗布される（図２参照）。ここで、電波吸収体３０の設置場所の床面に、塗布を行わなくとも、図２に示す様な構成のシートを張り付けたり、敷き詰めたりしてもよい。
【００３８】
次に、配置工程が操作者により行なわれる（図３のステップＳ２）。配置工程において、サーモクロミック材料４０が塗布された電波吸収体３０が、電波がミリ波受信装置２０（図１）の受信アンテナ２６により受信されるときの電界強度（受信電界強度）を確認したい場所に配置される。即ち、サーモクロミック材料４０が塗布された電波吸収体３０が、第１フレネルゾーンＦＺ１を確保したい場所に配置される。例えば、図４に示されるように、サーモクロミック材料４０が塗布された電波吸収体３０は、床面に設けられる。ここで、ミリ波送信装置１０として、電波によるコンテンツ配信を行なう様なキオスク端末を想定した場合、ミリ波受信装置２０の受信アンテナ２６の位置は、ミリ波受信装置２０を持つ操作者の位置が想定される。
【００３９】
配置工程において、サーモクロミック材料４０が塗布された電波吸収体３０は、床面に設けられているが、これに限定されない。サーモクロミック材料４０が塗布された電波吸収体３０は、壁面に設けられてもよい。
【００４０】
次に、照射工程がミリ波送信装置１０により行なわれる（図３のステップＳ３）。照射工程において、図４に示されるように、ミリ波送信装置１０は、送信アンテナ１６からミリ波帯の電波を、電波吸収体３０が設けられた床面に向けて照射する。
【００４１】
照射工程において、床面に設けられた電波吸収体３０は、ミリ波送信装置１０の送信アンテナ１６から照射された電波を吸収するときに、電界強度に応じて発熱する。このとき、電波吸収体３０上のサーモクロミック材料４０は、電波吸収体３０が発熱したときの温度に応じて変色する。具体的には、図４に示されるように、サーモクロミック材料４０のうち、電波吸収体３０が電界強度に応じて発熱した部分が、変色部分４２として変色する。この変色部分４２は、ミリ波受信装置２０（図１）の受信アンテナ２６が電波を受信する範囲である照射範囲に相当する。これにより、照射範囲（変色部分４２）が可視化される。
【００４２】
次に、確認工程が操作者により行なわれる（図３のステップＳ４）。確認工程において、操作者が目視により、可視化された照射範囲（変色部分４２）を確認する。可視化された照射範囲において、サーモクロミック材料４０のうち、電波吸収体３０が電界強度に応じて発熱した部分が、変色部分４２として変色しているため、サーモグラフィーのような温度変化分布となる。即ち、この温度変化分布は、電解強度分布に相当する。
【００４３】
以上の説明により、本発明の第１実施形態に係るミリ波照射範囲可視化装置では、ミリ波帯の電波を送信アンテナ１６から照射するミリ波送信装置１０と、電波が受信アンテナ２６により受信されるときの電界強度を確認したい場所（第１フレネルゾーンＦＺ１を確保したい場所）に配置され、送信アンテナ１６から照射された前記電波を吸収するときに電界強度に応じて発熱する電波吸収体３０と、電波吸収体３０上に塗布され、電波吸収体３０が発熱したときの温度に応じて変色するサーモクロミック材料４０と、を具備することにより、受信アンテナ２６が電波を受信する範囲である照射範囲（変色部分４２）を可視化することができる。
【００４４】
したがって、本発明の第１実施形態に係るミリ波照射範囲可視化装置によれば、ミリ波帯の電波（放射ビーム）を受信アンテナ２６がベストな位置（場所）で受信することができる。
【００４５】
［第２実施形態］
図５は、本発明の第２実施形態に係るミリ波照射範囲可視化装置の構成、及び、動作（ミリ波照射範囲可視化方法）を説明するための側面と上面とを示す図である。第２実施形態では、第１実施形態からの変更点を説明する。
【００４６】
図５に示されるように、本発明の第１実施形態に係るミリ波照射範囲可視化装置は、更に、カメラ５０と、制御装置６０とを具備している。
【００４７】
図５に示されるように、カメラ５０は、レンズ５２を備えている。レンズ５２は、電波吸収体３０上のサーモクロミック材料４０をカメラ５０が撮影するために、電波吸収体３０に向けられている。即ち、本実施形態では、レンズ５２は、電波吸収体３０が設けられた床面に向けられている。
【００４８】
図５に示されるように、制御装置６０は、記憶部６２と、制御部６４と、画像解析部６６とを備えている。記憶部６２には、コンピュータが実行可能なコンピュータプログラム（図示しない）が格納されている。制御部６４は、ＣＰＵであり、記憶部６２からコンピュータプログラムを読み出して実行する。制御装置６０は、ミリ波送信装置１０と一体化されていてもよい。
【００４９】
図５に示されるように、制御部６４は、画像解析部６６を備えている。画像解析部６６は、カメラ５０により撮影された画像のうちの、電波吸収体３０上のサーモクロミック材料４０が変色した部分である変色部分４２を解析し、画像の変色部分４２と座標とを表す座標データを生成する。
【００５０】
次に、本発明の第２実施形態に係るミリ波照射範囲可視化装置の動作（ミリ波照射範囲可視化方法）について説明する。
【００５１】
まず、前述の塗布工程（図３のステップＳ１）、及び、前述の配置工程（図３のステップＳ２）が操作者により行なわれ、前述の照射工程（図３のステップＳ３）がミリ波送信装置１０により行なわれる。
【００５２】
次に、確認工程（図３のステップＳ４）が制御装置６０により行なわれる。確認工程において、制御装置６０の画像解析部６６は、電波吸収体３０上のサーモクロミック材料４０を撮影するようにカメラ５０を制御する。画像解析部６６は、カメラ５０により撮影された画像のうちの、電波吸収体３０上のサーモクロミック材料４０の変色部分４２を解析し、変色部分４２と座標とを表す座標データを生成する。座標データの座標は、ミリ波受信装置２０（図１）の受信アンテナ２６が電波を受信する範囲である照射範囲に相当する。これにより、照射範囲（変色部分４２）が可視化されると共に、座標により表される。
【００５３】
以上の説明により、本発明の第２実施形態に係るミリ波照射範囲可視化装置では、電波吸収体３０上の変色したサーモクロミック材料４０を撮影するカメラ５０と、カメラ５０により撮影された画像のうちの、電波吸収体３０上のサーモクロミック材料４０の変色部分４２を解析する画像解析部６６と、を更に具備することにより、受信アンテナ２６が電波を受信する範囲である照射範囲（変色部分４２）を可視化することができ、送信アンテナ１６の電波照射方向が、適切であるか判断する事が可能になり、適切で無い場合、可視化した画像を用いて、調節する事が可能になる。また、本発明の第２実施形態に係るミリ波照射範囲可視化装置は、送信アンテナ１６の電波照射方向をＸ、Ｙ方向制御可能なアンテナ駆動装置８１（図５を参照）を更に具備し、制御装置６０からの可視化情報を、制御信号として、有線又は無線通信で得ることにより、送信アンテナ１６の最適な電波照射方向を、自動的に制御する事も可能である。
【００５４】
したがって、本発明の第２実施形態に係るミリ波照射範囲可視化装置によれば、ミリ波帯の電波（放射ビーム）を受信アンテナ２６がベストな位置（場所）で受信することができ、ベストな位置（場所）を可視化することができ、さらに、電波照射位置、範囲を、必要に応じて設定可能になる。
【００５５】
［第３実施形態］
図６は、本発明の第３実施形態に係るミリ波照射範囲可視化装置の構成、及び、動作（ミリ波照射範囲可視化方法）を説明するための側面と上面とを示す図である。第３実施形態では、第２実施形態からの変更点を説明する。
【００５６】
図６に示されるように、本発明の第３実施形態に係るミリ波照射範囲可視化装置は、更に、光源７０を具備している。
【００５７】
光源７０は、色彩を指定可能な可視光を照射するために、電波吸収体３０に向けられている。即ち、本実施形態では、光源７０は、電波吸収体３０が設けられた床面に向けられている。
【００５８】
図６に示されるように、制御装置６０において、制御部６４は、更に、光源制御部６８を備えている。光源制御部６８は、座標データが表す画像の変色部分と座標とに基づいて、電波吸収体３０上のサーモクロミック材料４０の変色部分４２に重ねて可視光７２が照射されるように光源７０を制御する。
【００５９】
次に、本発明の第３実施形態に係るミリ波照射範囲可視化装置の動作（ミリ波照射範囲可視化方法）について説明する。
【００６０】
まず、前述の塗布工程（図３のステップＳ１）、及び、前述の配置工程（図３のステップＳ２）が操作者により行なわれ、前述の照射工程（図３のステップＳ３）がミリ波送信装置１０により行なわれる。
【００６１】
次に、確認工程（図３のステップＳ４）が制御装置６０により行なわれる。確認工程において、制御装置６０の画像解析部６６は、カメラ５０を制御し、カメラ５０は、電波吸収体３０上のサーモクロミック材料４０を撮影する。画像解析部６６は、カメラ５０により撮影された画像のうちの、電波吸収体３０上のサーモクロミック材料４０の変色部分４２を解析し、変色部分４２と座標とを表す座標データを生成する。制御装置６０の光源制御部６８は、座標データ（画像の変色部分、及び、座標）に基づいて、光源７０を制御し、光源７０は、電波吸収体３０上のサーモクロミック材料４０の変色部分４２に、可視光７２を重ねて照射する。
【００６２】
以上の説明により、本発明の第３実施形態に係るミリ波照射範囲可視化装置では、可視光を照射する光源７０と、画像の変色部分に基づいて、電波吸収体３０上のサーモクロミック材料４０の変色部分４２に重ねて可視光７２が照射されるように光源７０を制御する光源制御部６８と、を更に具備することにより、受信アンテナ２６が電波を受信する範囲である照射範囲（変色部分４２）を操作者に対して分かり易く可視化することができる。さらに、周波数、チャンネル、提供しているサービスの種類に従って、光源の色を変化させる事により、ミリ波受信装置２０の操作者は、周波数、チャンネル、提供されているサービスと、受信可能な範囲の情報を、視覚的に得ることが可能になる。
【００６３】
したがって、本発明の第３実施形態に係るミリ波照射範囲可視化装置によれば、ミリ波帯の電波（放射ビーム）を受信アンテナ２６がベストな位置（場所）で受信することができ、ベストな位置（場所）を可視化することができる。また、本発明の第３実施形態に係るミリ波照射範囲可視化装置は、送信アンテナ１６の電波照射方向をＸ、Ｙ方向制御可能なアンテナ駆動装置８１（図６を参照）と、光源７０の照射方向と照射範囲とを制御可能な光源駆動装置８２（図６を参照）とを更に具備し、ミリ波照射範囲の変更に、連動した光源の投影を可能にしても良い。
【００６４】
［第４実施形態］
図７は、本発明の第４実施形態に係るミリ波照射範囲可視化装置の電波吸収体３０、及び、サーモクロミック材料４０の側面と上面とを示す図である。第４実施形態では、第１〜第３実施形態からの変更点を説明する。
【００６５】
第１〜第３実施形態において、サーモクロミック材料４０は、電波吸収体３０上で座標を表すように、格子状に塗布されているが、これに限定されない。図７に示されるように、第４実施形態において、サーモクロミック材料４０は、電波吸収体３０上で座標を表すように、ドット状に塗布されてもよい。
【００６６】
次に、本発明の第４実施形態に係るミリ波照射範囲可視化装置の動作（ミリ波照射範囲可視化方法）について説明する。図８は、本発明の第４実施形態に係るミリ波照射範囲可視化装置の動作（ミリ波照射範囲可視化方法）を説明するための上面を示す図である。
【００６７】
まず、前述の塗布工程（図３のステップＳ１）、及び、前述の配置工程（図３のステップＳ２）が操作者により行なわれ、前述の照射工程（図３のステップＳ３）がミリ波送信装置１０により行なわれる。次に、確認工程（図３のステップＳ４）が、操作者、または、制御装置６０により行なわれる。
【００６８】
図８に示されるように、確認工程において、電波吸収体３０上のサーモクロミック材料４０の変色部分４２が、ミリ波受信装置２０（図１）の受信アンテナ２６が電波を受信する範囲である照射範囲として、可視化されている。
【００６９】
以上の説明により、本発明の第４実施形態に係るミリ波照射範囲可視化装置では、サーモクロミック材料４０は、格子状、または、ドット状に塗布されることにより、受信アンテナ２６が電波を受信する範囲である照射範囲（変色部分４２）を座標により表すことができる。また、第２実施形態、第３実施形態に示した様に、アンテナ駆動装置８１（図５、６を参照）による電波照射位置及び範囲や、光源駆動装置８２（図６を参照）による照射位置及び範囲の制御の為の座標として、利用しても良い。
【００７０】
以上、この発明の実施形態について図面を参照して詳述してきたが、具体的な構成は実施形態に限られるものではなく、この発明の要旨を逸脱しない範囲の設計等も特許請求の範囲に含まれる。
【符号の説明】
【００７１】
１０  …  ミリ波送信装置
１２  …  記憶部
１４  …  制御部
１６  …  送信アンテナ
２０  …  ミリ波受信装置（通信機器）
２２  …  記憶部
２４  …  制御部
２６  …  受信アンテナ
３０  …  電波吸収体
４０  …  サーモクロミック材料
４２  …  変色部分（照射範囲）
５０  …  カメラ
６０  …  制御装置
６２  …  記憶部
６４  …  制御部
６６  …  画像解析部
６８  …  光源制御部
７０  …  光源
８１  …  アンテナ駆動装置
８２  …  光源駆動装置
ｄ１  …  距離
ｄ２  …  距離
Ｄ１  …  最短経路
Ｄ２  …  迂回経路
ＦＺ１  …  第１フレネルゾーン
ｒ１  …  フレネル半径
【図１】
2016213656.tif 000003
【図２】
2016213656.tif 000004
【図３】
2016213656.tif 000005
【図４】
2016213656.tif 000006
【図５】
2016213656.tif 000007
【図６】
2016213656.tif 000008
【図７】
2016213656.tif 000009
【図８】
2016213656.tif 000010
【図９】
2016213656.tif 000011
【図１０】
2016213656.tif 000012